【事件の表示】
　特願２０００−３３２２１７「天井直付け照明器具の取付装置」拒絶査定不服審判事件〔平成１４年　５月１７日出願公開、特開２００２−１４０９２２号〕について、次のとおり審決する。
【結　論】
　本件審判の請求は、成り立たない。
【理　由】
１．手続の経緯 
　本願は、平成１２年１０月３１日の出願であって、その請求項１に係る発明は、願書に添付された明細書及び図面の記載からみて、その特許請求の範囲の請求項１に記載された事項により特定される、次のとおりのものと認める。（以下、「本願発明」という。） 
                　
「天井に装着可能なアダプタ本体に、照明器具本体と着脱自在に係合する一対の係止部材を出没自在に、且つ、突出方向に付勢して設けると共に、前記係止部材に係合して該係止部材の没入を規制するロック位置と、前記係止部材から離脱したロック解除位置との間を移動可能なロック部材を設けた天井直付け照明器具の取付装置において、一対の解除突片を離間する方向に移動することによって係止部材をアダプタ本体に没入させるようにし、一方の係止部材及び他方の係止部材に前記アダプタ本体内部において対向する対向面をそれぞれ形成し、ロック部材をこれら対向面間に進入・退避可能にしたことを特徴とする天井直付け照明器具の取付装置。」
         　
２．引用刊行物に記載された発明 
　これに対して、原査定の拒絶の理由に引用した、（特開平１１−２１３７４５号公報（以下、「引用例１」という。）、及び特開平９−１３４６１０号公報（以下、「引用例２」という。）には、それぞれ図面とともに次の事項が記載されている。 
　 
２−１．引用例１に記載された発明 
(a)「【００１９】図１は、本実施形態の天井直付け照明器具取付装置（以下、照明器具取付装置という）の一実施形態を示す分解斜視図である。照明器具取付装置１は、概略として、引掛シーリング２に引っ掛ける一対の栓刃３，３を上面に有する上アダプタ４と、器具本体５側に配備されると共に、上アダプタ４に対して着脱自在に嵌合係止されるスペーサ６とにより構成される。
【００２０】引掛シーリング２は、天井面に対して取り付けられる従来公知のものであって、シーリングベース７の下面に、中心回りに一対の弧状の栓刃挿入口８，８が設けられ、各栓刃挿入口８は、時計回りの回転方向における始端に幅広部９が形成され、幅広部９に連続して終端まで幅狭部１０が形成されている。また、各栓刃挿入口８，８の幅狭部１０，１０の奥方の内側裏面には、栓刃受け部（図示せず）が設けられると共に、栓刃受け部に屋内配線と接続された導電性の接続端子板（図示せず）が配設されている。
【００２１】図２は、上アダプタ４を上面側から眺めて示す斜視図であり、図３は、上アダプタ４を下面側から眺めて示す斜視図である。
【００２２】図２に示すように、上アダプタ４は、略円筒状をなし、その上面には、一対の栓刃３，３が同一円周上に互いに向かい合って配置されると共に、引掛シーリング２に対する上アダプタ４の取り外し方向の回動（反時計方向の回動）を阻止するロック爪１１が栓刃３，３と同一円周上に出没自在に配設される共に、上アダプタ４の取り外し回動方向において栓刃３，３の一方よりも上流側に配置されている。
【００２３】上アダプタ４の側部の周面には、上アダプタ４と係合するスペーサ６の係止受部（図示せず）に対して着脱可能に係合する係止爪１３ａ，１３ｂが径方向の左右にそれぞれ出没自在に配設され、係止爪１３ａ，１３ｂと略９０度をなす位置に、ロック爪１１を上アダプタ４の上面から没入させるために押し込み操作されるロック解除釦１２が配設されている。なお、左右の係止爪１３ａ，１３ｂは、後述する左右の係止部材１４，１４の先端にそれぞれ一体に形成されている。
【００２４】上アダプタ４の下面には、図３に示すように、左右の係止爪１３ａ，１３ｂをそれぞれ上アダプタ４の周面に没入させるために径方向にそれぞれ摺動操作される解除突片１５ａ，１５ｂが一直線上に並んでそれぞれ配設され、左右の解除突片１５ａ，１５ｂが同時に摺動操作可能なロック解除位置と、左右の解除突片１５ａ，１５ｂが同時に摺動操作不可能なロック位置との間で回動操作されるロックレバー１６が上アダプタ４の下面に交差する方向に回動自在に設けられている。なお、左右の解除突片１５ａ，１５ｂは、後述する左右の係止部材１４ａ，１４ｂの下面にそれぞれ一体に形成されている。」（段落００１９−００２４）
          　
(b)「【００３３】左右の係止部材１４ａ，１４ｂは、前部に平面視で円弧凸状の係止爪１３ａ，１３ｂがそれぞれ形成され、収納部２１の左側に配置される係止部材１４ａの後部は、右側を切り欠いて退避用欠切部３３ａが形成されると共に各後部の左側に延出部３４ａが形成され、収納部２１の右側に配置される係止部材１４ｂの後部は、左側を切り欠いて退避用欠切部３３ｂが形成されると共に各後部の右側に延出部３４ｂが形成され、各延出部３３ａ，３３ｂの後端下面には解除突片１５ａ，１５ｂがそれぞれ突設されている。また、左右の係止部材１４ａ，１４ｂの中央には、各係止爪１３ａ，１３ｂをアダプタベース１７の両側部からそれぞれ突出した状態に付勢する付勢バネ収納用の角孔３５ａ，３５ｂがそれぞれ設けられている。」（段落００３３）
           　
(c)「【００４０】ロックレバー１６は、線状金を折曲して形成されており、先端に矩形状に折曲して形成した指掛部４７が設けられ、中間から先端までを解除突片１５ａ，１５ｂの前後方向の厚み程度の幅に平行に形成したロック部４８が設けられ、基端には両側をそれぞれ外側に向けて折曲した支軸部４９，４９が設けられており、支軸部４９，４９がそれぞれ支軸孔４６，４６に挿入されて軸支されている。」（段落００４０）
          　
(d)「【００５６】次に、器具本体５の上アダプタ４に対する取り付けについて説明する。まず、図３に示すように、上アダプタ４のロックレバー１６の手掛部４を下方に引き、解除突片１５ａ，１５ｂに対する係合を離脱させた状態、即ち、ロック解除位置とする。」（段落００５６）
        　
(e)「【００５９】図６乃至図９に示すように、左右の係止部材１４ａ，１４ｂは、矢印Ａ方向で示すアダプタベース１７の中心方向に向けて互いに接近移動し、左側の係止部材１４ａの延出部３４ａが右側の係止部材１４ｂの退避用欠切部３３ｂに入り込むと共に、右側の係止部材１４ｂの延出部３４ｂが左側の係止部材１４ａの退避用欠切部３３ａに入り込んでいき，両係止部材１４ａ，１４ｂの延出部３４ａ，３４ｂの各端面が、両係止部材１４ａ，１４ｂの退避用欠切部３３ａ，３３ｂの各端面にそれぞれ突き当たると、両係止部材１４ａ，１４ｂの摺動が規制されると共に、左右の係止部材１４ａ，１４ｂの係止爪１３ａ，１３ｂがアダプタベース１７の爪出入口２２ａ，２２ｂにそれぞれ没入する（図８参照）。」（段落００５９）
       　
(f)「【００６１】次いで、図１５に示すように、上アダプタ４の下面のロックレバー１６を上アダプタ４の下面に向けて回動し、ロックレバー１６のロック部４８内に各解除突片１５ａ，１５ｂを挿入し、解除突片１５ｂの一側面に突設されたレバー係止部３８にロック部４８を押し込んで係合し、ロックレバー１６のロック部４８で左右の係止部材１４ａ，１４ｂの摺動を不可能にロックする。これにより、上アダプタ４から器具本体５が不測に外れるのを防止することができる（図１６参照）。」（段落００６１）
     　
(g)「【００６４】器具本体５を取り外す場合には、上アダプタ４のロックレバー１６を回動してロック解除位置にした後、器具本体５を両手で支え、右手の親指を左側の係止爪１３ａに対応する解除突片１５ａに掛け、左手の親指を右側の係止爪１３ｂに対応する解除突片１５ｂに掛け、それぞれ径方向外側に摺動操作する（図６参照）。
【００６５】左右の係止部材１４ａ，１４ｂは、矢印Ａ方向で示すアダプタベース１７の中心方向に向けて互いに接近移動し、左側の係止部材１４ａの延出部３４ａが右側の係止部材１４ｂの退避用欠切部３３ｂに入り込むと共に、右側の係止部材１４ｂの延出部３４ｂが左側の係止部材１４ａの退避用欠切部３３ａに入り込んでいき，両係止部材１４ａ，１４ｂの延出部３４ａ，３４ｂの各端面が、両係止部材１４ａ，１４ｂの退避用欠切部３３ａ，３３ｂの各端面にそれぞれ突き当たると、両係止部材１４ａ，１４ｂの摺動が規制されると共に、左右の係止部材１４ａ，１４ｂの係止爪１３ａ，１３ｂがアダプタベース１７の爪出入口２２ａ，２２ｂにそれぞれ没入する（図７参照）。」（段落００６４−００６５）
     　
(h)　上記記載事項(e)及び(g)の記載によると、解除突片１５ａ，１５ｂを「それぞれ径方向外側に摺動操作する」と、「左右の係止部材１４ａ，１４ｂは、矢印Ａ方向で示すアダプタベース１７の中心方向に向けて互いに接近移動」するのだから、引用例１に記載の天井直付け照明器具取付装置１は、「解除突片１５ａ及び解除突片１５ｂを互いに離間する方向に移動することによって係止部材１４ａ，１４ｂを上アダプタ４に没入させるようにし」た構成を備えているといえる。
　また、上記記載事項(e)及び(g)の、「両係止部材１４ａ，１４ｂの延出部３４ａ，３４ｂの各端面が、両係止部材１４ａ，１４ｂの退避用欠切部３３ａ，３３ｂの各端面にそれぞれ突き当たると、両係止部材１４ａ，１４ｂの摺動が規制される」という記載、並びに図４〜９の図示内容から、係止部材１４ａ，１４ｂの延出部３４ａ，３４ｂの「各端面」及び退避用欠切部３３ａ，３３ｂの「各端面」はそれぞれ、上アダプタ４内部においてお互いに対向する面であることは明らかである。
　したがって、引用例１に記載の係止部材１４ａ，１４ｂは、「上アダプタ４内部において対向する対向面」をそれぞれ備えているといえる。
　そして、引用例１に記載された天井直付け照明器具取付装置１は、上記解除突片１５ａ，１５ｂが互いに離間する方向に移動することによって、上記係止部材１４ａ，１４ｂに形成された、上アダプタ４内部において対向する対向面が、近接する方向に移動して、その結果、係止部材１４ａ，１４ｂが上アダプタ４に没入する機構を備えているものであることは明らかである。（以下、これらをまとめて、「引用例１に記載された事項(h)」という。）
　
　そこで、上記引用例１の記載事項(a)ないし(h)を総合すると、引用例１には以下の発明（以下、「引用発明１」という。）が記載されているといえる。 
「天井に装着可能な上アダプタ４に、器具本体５と着脱自在に係合する一対の係止部材１４ａ，１４ｂを出没自在に、且つ、突出方向に付勢して設けると共に、前記係止部材１４ａ，１４ｂに係合して　該係止部材１４ａ，１４ｂの没入を規制するロック位置と、前記係止部材１４ａ，１４ｂから離脱したロック解除位置との間を移動可能なロックレバー１６を設けた天井直付け照明器具取付装置１において、
　一対の解除突片１５ａ，１５ｂを離間する方向に移動することによって、
　係止部材１４ａ，１４ｂに形成された、上アダプタ４内部において対向する対向する対向面が、近接する方向に移動して、
　係止部材１４ａ，１４ｂを上アダプタ４に没入させるようにし、
　ロックレバー１６を、解除突片１５ａ，１５ｂに挿入・離脱可能にした、天井直付け照明器具取付装置１。」 
　 
２−２．引用例２に記載された発明 
(i)「【００１７】・・・図１は、本発明の第１の実施形態の下アダプタを適用した天井直付け照明器具取付装置（以下、単に照明器具取付装置という）を示す分解斜視図である。照明器具取付装置１は、天井面７に止着された引掛シーリング２に引っ掛ける一対の栓刃３，３を上面に有する上アダプタ４及び上アダプタ４に対して係脱自在に取り付けられる下アダプタ５により構成されている。また、下アダプタ５は器具本体６に支持されており、器具本体６は、引掛シーリング２に取り付けられた上アダプタ４に対して下アダプタ５を係止させることにより、上アダプタ４に取り付けられる。」（段落００１７）
       　
(j)「【００６６】・・・下アダプタ５は、図１に示すように、器具本体６に重合される取付板８２と、取付板８２の下面に装着された下アダプタベース８３とを備えている。図８に示すように、器具本体６の中央部、取付板８２及び下アダプタベース８３の中央には、上アダプタ４の取付用枠体１３よりも僅かに大の角形の嵌合孔８４が設けられている。」（段落００６６）
        　
(k)「【００７４】また、図１４において、左方の張出部８６ａの上面の外縁と上側にあたる一側縁との隅と、右方の張出部８６ｂの上面の外縁と下側にあたる他側縁との隅とには、ロックつまみ１０４，１０４がそれぞれ左右の張出部８６ａ，８６ｂの各外縁に沿ってロック解除位置とロック位置との間でそれぞれ切換移動自在に設けられている。なお、ロックつまみ１０４の各々は、図１７に示すように、上部に下アダプタベース８３の収納部８７内に臨むロック部１０５と、下部に張出部８６の下面に露出して配置される操作板部１０６とを一体に備える。
【００７５】また、ロックつまみ１０４は、ロック解除位置にあっては、図１７に示すように、そのロック部１０５が下アダプタベース８３の収納部８７の後部において、係止部材９２の後部一側に設けた角形の切欠部９４を後方から臨む位置に配置され、ロック位置にあっては、図１９に示すように、そのロック部１０５が下アダプタベース８３の収納部８７の後部において、係止部材９２の後端面９２ａに当接する位置に配置される。」（段落００７４−００７５）
          　
(l)「【００７７】器具本体６の上アダプタ４に対する取り付けは、器具本体６に装着されている下アダプタ５を上アダプタ４に対して係止させることにより行われる。なお、下アダプタ５の左右の張出部８６ａ，８６ｂに設けられたロックつまみ１０４，１０４の操作板部１０６，１０６を図１７に示すロック解除位置に移動しておく。
【００７８】下アダプタ５の中央の角形の嵌合孔８４に上アダプタ４の角形の取付用枠体１３を一致させ、器具本体６を押し上げると、・・・下アダプタ５の嵌合孔８４に突出されていた係止爪９３が係止爪用通孔９０内に没入する。この時、ロックつまみ１０４のロック部１０５は、係止部材９２の後端面９２ａに干渉しない係止部材９２の後部一側に設けた角形の切欠部９４に入り込み、下アダプタ５の嵌合孔８４に上アダプタ４の取付用枠体１３が嵌挿される。
【００７９】下アダプタ５の嵌合孔８４に上アダプタ４の取付用枠体１３が嵌合すると同時に、下アダプタ５の係止爪９３が上アダプタ４の嵌合凹部７９の前方に位置し、下アダプタ５の付勢バネ９９の復帰力により係止部材９２，９２が前方に押し出され、係止爪９３，９３が嵌合孔８４に突出されて上アダプタ４の取付用枠体１３の対向する両側の嵌合凹部７９，７９内にそれぞれ入り込み、嵌合凹部７９，７９の第１係止受部８０，８０に、下アダプタ５の係止爪８３，８３の下部の係止部９７，９７がそれぞれ支持されて器具本体６が上アダプタ４に対して取り付けられる（図２０参照）。」（段落００７７−００７９）
       　
(m)「【００８６】そして、上アダプタ４に対して器具本体６を取り付けた後、下アダプタ５の左右のロックつまみ１０４，１０４の操作板部１０６，１０６をそれぞれ摺動操作して図１９に示すロック位置に切り換え、ロックつまみ１０４，１０４のロック部１０５，１０５を両係止部材９２，９２の後端面にそれぞれ当接させ、両係止部材９２，９２の収納部８７，８７への後退を阻止し、両係止爪９３，９３を突出した状態にロックする。」（段落００８６）
　 
　上記記載事項(k)の「下アダプタベース８３の収納部８７内に臨むロック部１０５」、及び「ロック部１０５が下アダプタベース８３の収納部８７の後部において、係止部材９２の後端面９２ａに当接する位置に配置される」という記載、並びに、上記記載事項(m)の「ロック部１０５，１０５を両係止部材９２，９２の後端面にそれぞれ当接させ、両係止部材９２，９２の収納部８７，８７への後退を阻止し、両係止爪９３，９３を突出した状態にロックする」という記載から、上記ロック部１０５は、下アダプタ５の「内部」に設けられていることは明らかである。
　したがって、上記引用例２の記載事項(i)ないし(m)を総合すると、引用例２には以下の発明（以下、「引用発明２」という。）が記載されていると認められる。 　
「上アダプタ４に着脱自在に係合する下アダプタ５に、一対の係止部材９２，９２を出没自在に、且つ、突出方向に付勢して設けると共に、該係止部材９２，９２の没入を規制するロック位置と、ロック解除位置との間を移動可能な、ロックつまみ１０４，１０４を設けた天井直付け照明器具取付装置において、
　前記ロックつまみ１０４に一体に備えられたロック部１０５は、下アダプタ５の内部に設けられており、前記ロック位置にあっては前記係止部材９２の後端面９２ａに当接する位置に配置され、前記ロック解除位置にあっては、前記後端面９２ａに当接しない位置に配置される天井直付け照明器具取付装置。」 
　 
３．対比 
　本願発明と引用発明１を対比すると、引用発明１の「上アダプタ４」、「器具本体５」、「係止部材１４ａ，１４ｂ」、「解除突片１５ａ，１５ｂ」、及び「天井直付け照明器具取付装置１」は、その構成や機能からみて、それぞれ、本願発明の「アダプタ本体」、「照明器具本体」、「一対の係止部材」或いは「一方の係止部材及び他方の係止部材」、「一対の解除突片」、及び「天井直付け照明器具の取付装置」に相当する。
　また、引用発明１の「ロックレバー１６」と、本願発明１の「ロック部材」は「ロック手段」という限りで共通するものである。 
　 
　また本願発明も、一対の解除突片を離間する方向に移動することによって、一方の係止部材及び他方の係止部材に形成された、アダプタ本体内部において対向する対向面が、近接する方向に移動して、係止部材をアダプタ本体に没入させるようにする機構を備えていることは明白である。
  　
　そうすると、両者は 
「天井に装着可能なアダプタ本体に、照明器具本体と着脱自在に係合する一対の係止部材を出没自在に、且つ、突出方向に付勢して設けると共に、前記係止部材に係合して該係止部材の没入を規制するロック位置と、前記係止部材から離脱したロック解除位置との間を移動可能なロック手段を設けた天井直付け照明器具の取付装置において、
　一方の係止部材及び他方の係止部材にアダプタ本体内部において対向する対向面をそれぞれ形成し、
　一対の解除突片を離間する方向に移動することによって、
　上記一方の係止部材及び他方の係止部材に形成された、アダプタ本体内部において対向する対向面が、近接する方向に移動して、
　係止部材をアダプタ本体に没入させるようにした、
　天井直付け照明器具の取付装置。」
である点で一致し、以下の点で相違する。 
　 
（相違点） 
　ロック手段に関して、本願発明は「ロック部材を（アダプタ本体内部において対向する）これら対向面間に進入・退避可能にした」ロック部材であるのに対し、引用発明１は、「解除突片１５ａ，１５ｂに挿入・離脱可能にした」ロックレバーである点。
      　
４．当審の判断 
　上記相違点について検討する。
　引用発明１において、安全性・操作性等の観点から、ロック手段として様々なものを使用してみようとすることは、ロック手段に要求される機能からみて、当業者の通常の創作の範囲と解されるところ、引用発明２には、下アダプタ５の内部において、係止部材９２の没入方向への移動を、係止部材９２にロック部１０５を当接させることにより規制することが開示されている。
　してみると、引用発明１において、引用発明２に倣い、上アダプタ４内部において、係止部材１４ａ，１４ｂの没入方向への移動を、係止部材１４ａ，１４ｂにロック部材を当接させることにより規制してみようとすることは、当業者が容易に想到することであり、その際、係止部材１４ａ，１４ｂの没入方向への移動を規制する箇所として、両者の対向面を選択して、本願発明の相違点に係る構成とすることは、これを妨げる特段の事情も見当たらないことから、当業者が適宜なし得る設計的事項にすぎないことである。
   　
５．むすび 
　以上のとおり、本願発明は、その出願前に日本国において頒布された引用例１及び引用例２に記載された発明に基いて、当業者が容易に発明をすることができたものであるから、特許法第２９条第２項の規定により特許を受けることができない。 
　よって、結論のとおり審決する。